(57)【要約】【課題】表と裏両面を使用することができ、すばやく着脱することができるネクタイを提供する。【解決手段】結び目と、ネクタイ部とを含んでなり、該結び目がＣ字を呈し、弾性で伸縮する紐を具え、内、外面にいずれも面ファスナーを具えてなり、外面の面ファスナーには布片を貼着し、該ネクタイ部が、両面に図案、模様をプリントし両面を使用することができる構造からなる。【選択図】  図２
0003159274.tif 000002
【実用新案登録請求の範囲】
【請求項１】
結び目と、ネクタイ部とを含んでなり、
該結び目がＣ字を呈し、弾性で伸縮する紐を具え、内、外面にいずれも面ファスナーを具えてなり、外面の面ファスナーには布片を貼着し、
該ネクタイ部が、両面に図案、模様をプリントし両面を使用することができる構造からなることを特徴とするネクタイ。
【請求項２】
結び目と、ネクタイ部とを含んでなり、
該結び目がＣ字を呈し、弾性で伸縮する紐を具え、内面に押し圧式の母ボタンを設け、外面の面ファスナーに布片を貼着し、
該ネクタイ部が、両面に図案、模様をプリントし、両面を使用することができ、且つ一端に押し圧式の雄ボタンを設けてなることを特徴とするネクタイ。
【請求項３】
前記結び目が、内面の適宜な位置に凸部を設けてなり、紐の両端には孔が設けられることを特徴とする請求項１、或いは２に記載のネクタイ。
【請求項４】
前記布片の図案、模様が、ネクタイ部と同様に一致することを特徴とする請求項１、或いは２に記載のネクタイ。
【請求項５】
結び目と、ネクタイ部とを含んでなり、
該結び目が、Ｃ字を呈し、弾性で伸縮する紐を具えてなり、内面に一体で回転して接続する第一接続部を具えてなり、外面の面ファスナーには布片を貼着し、
該ネクタイ部が、両面に図案、模様をプリントして両面を使用することができ、且つ一端に一体で回転して接続する第二接続部を具えてなることを特徴とするネクタイ。
【請求項６】
前記第二接続部が、一端に第一接続部に穿設するための円柱を具えてなり、該円柱の外周面を被覆するように設けられた弾性体が当接して抜け落ちることを防ぐ構造からなることを特徴とする請求項５に記載のネクタイ。
【考案の詳細な説明】
【技術分野】
【０００１】
この考案は、ネクタイに関し、特に着用者の頸部に設ける両面使用可能なネクタイに関する。
【背景技術】
【０００２】
ネクタイは一枚の布から形成されている。
【０００３】
使用する場合、ネクタイを頸部に掛けて様々な方法で巻きつけた後、異なる形態に結び、ネクタイを真っ直ぐに引き伸ばす。これは伝統的なネクタイ結びの方法である。
【０００４】
しかしながら、ネクタイを結ぶまでの過程が複雑で、長さを調整することが難しく、初心者や、ネクタイをあまり使用しない人、忙しく、且つ時間がない人には時間と労力を消耗する行為である。
【０００５】
特にネクタイの結び目、或いは長さが美しくない場合、着用者の外見にも影響を与える。
【０００６】
又、ネクタイを満足な、美観を具えた状態に結ぶことは非常に難しく、毎回着用時に何度も結ぶことになる。
【０００７】
よって、多くの着用者にとって生活上非常に困難であった。
【０００８】
このため、ネクタイ業界では結ぶ必要のないネクタイが形成された。
【０００９】
一つ目はファスナー式のネクタイで、毎回結ぶ必要がないが、結び目に金属の硬質なファスナー座が設けられている。
【００１０】
該ファスナー座にぶつかって傷つくことがある。
【００１１】
また、ネクタイのきつさを調節し、ファスナー内側の布が設けられているが、ネクタイを着用した時に該内側の布の下方部分が固定されていないため、外側に露出して美観が損なわれることがある。
【００１２】
磁鉄式のネクタイで、シャツの首部のネクタイを設ける襟部分に金属製のボタンを設けて直接吸着して設けることができる。
【００１３】
非常に便利で実用的であるが、磁性を調節することは難しい。磁性が強すぎると着脱がむずかしく、小さすぎると簡単に抜け落ちる。
【００１４】
万一金属のボタンが抜け落ちる、或いはなくなると、同様のものを探すことが難しい。
【００１５】
また、従来のネクタイ、或いは現在販売されている簡易ネクタイに関わらず、ネクタイの表面全体に均一に図案、プリントが設けられている。
【００１６】
しかしながらその内の一面が正面として使用され、一方の一面には固定するためのベルト、標示、縫い目が設けられる。
【００１７】
このため、同一の日にちであれば、異なる状況でも使用が制限され、変化をつけることができない。
【００１８】
上述のように、従来のネクタイ及び簡易ネクタイは、使用後、清潔さを均一にすることが比較的難しく、一度汚れるとネクタイ全体を洗浄し、再びアイロンをかけて平らにしなければ使用上不便で、その過程が複雑で不便である。
【考案の概要】
【考案が解決しようとする課題】
【００１９】
この考案は、表と裏両面を使用することができ、すばやく着脱することができるネクタイを提供することを課題とする。
【課題を解決するための手段】
【００２０】
そこで、本考案者は従来の技術に見られる欠点に鑑みて鋭意研究を重ねた結果、結び目と、ネクタイ部とを含んでなり、該結び目がＣ字を呈し、弾性で伸縮する紐を具え、内、外面にいずれも面ファスナーを具えてなり、外面の面ファスナーには布片を貼着し、該ネクタイ部が、両面に図案、模様をプリントし両面を使用することができる構造からなるネクタイによって課題を解決できる点に着眼し、かかる知見に基づいて本考案を完成させた。
【００２１】
以下、この考案について具体的に説明する。
請求項１に記載のネクタイは、結び目と、ネクタイ部とを含んでなり、
該結び目がＣ字を呈し、弾性で伸縮する紐を具え、内、外面にいずれも面ファスナーを具えてなり、外面の面ファスナーには布片を貼着し、
該ネクタイ部が、両面に図案、模様をプリントし両面を使用することができる構造からなる。
【００２２】
請求項２に記載のネクタイは、結び目と、ネクタイ部とを含んでなり、
該結び目がＣ字を呈し、弾性で伸縮する紐を具え、内面に押し圧式の母ボタンを設け、外面の面ファスナーに布片を貼着し、
該ネクタイ部が、両面に図案、模様をプリントし、両面を使用することができ、且つ一端に押し圧式の雄ボタンを設けてなる。
【００２３】
請求項３に記載のネクタイは、請求項１、或いは２における結び目が、内面の適宜な位置に凸部を設けてなり、紐の両端には孔が設けられる。
【００２４】
請求項４に記載のネクタイは、請求項１、或いは２における布片の図案、模様が、ネクタイ部と同様に一致する。
【００２５】
請求項５に記載のネクタイは、結び目と、ネクタイ部とを含んでなり、
該結び目が、Ｃ字を呈し、弾性で伸縮する紐を具えてなり、内面に一体で回転して接続する第一接続部を具えてなり、外面の面ファスナーには布片を貼着し、
該ネクタイ部が、両面に図案、模様をプリントして両面を使用することができ、且つ一端に一体で回転して接続する第二接続部を具えてなる。
【００２６】
請求項６に記載のネクタイは、請求項５における第二接続部が、一端に第一接続部に穿設するための円柱を具えてなり、該円柱の外周面を被覆するように設けられた弾性体が当接して抜け落ちることを防ぐ構造からなる。
【考案の効果】
【００２７】
この考案によるネクタイは、すばやく着用でき、且つ両面使用できるため実用的で、場面により両面を使い分けられ美観を高めるという効果を有する。
【図面の簡単な説明】
【００２８】
【図１】この考案のネクタイを示した斜視図である。
【図２】この考案のネクタイを示した分解図である。
【図３】この考案のネクタイの結び目を示した説明図である。
【図４】この考案のネクタイの使用状態を示した説明図である。
【図５】この考案のネクタイの他の実施形態を示した説明図である。
【図６】この考案のネクタイのその他の実施形態を示した説明図である。
【図７】この考案のネクタイの別の実施形態を示した説明図である。
【考案を実施するための形態】
【００２９】
この考案は表と裏両面を使用することができ、すばやく着脱することができるネクタイであって、結び目と、ネクタイ部とを含んでなり、
該結び目がＣ字を呈し、弾性で伸縮する紐を具え、内、外面にいずれも面ファスナーを具えてなり、外面の面ファスナーには布片を貼着し、
該ネクタイ部が、両面に図案、模様をプリントし両面を使用することができる構造からなるネクタイの構造と特徴を詳述するために具体的な実施例を挙げ、図示を参照にして以下に説明する。
【実施例】
【００３０】
図１は、この考案のネクタイを示したものである。
【００３１】
図面によれば、この考案のネクタイ１は、比較的硬い性質の材料からなる結び目２と、布から形成したネクタイ部３とを組み合わせてなる。
【００３２】
図２、３に開示するように、該結び目２はＣ字を呈し、内面の適宜な位置に凸部２０が設けられ、両端に設けられた孔２１１に接続し、弾性の伸縮効果を具えた紐２１は自由に取り外しができる。また、すばやく便利に着用者の頸部に設けてきつく束ねることができる。
【００３３】
該結び目２の内側、外側面にはいずれも面ファスナー２２が設けられる。
【００３４】
内側面の面ファスナー２２はネクタイ部３を貼着するために供し、外側の面ファスナー２２はネクタイ部３と同じ図案、模様の布片２３を貼着するために供する。
【００３５】
よって、結び目２とネクタイ部３とに一致性が生まれる。
【００３６】
該ネクタイ部３は、両面それぞれに異なる、且つ完全な図案、模様が設けられ、好みに応じて使用することができる。
【００３７】
このため、着用者が自由に服装に合わせて組み合わせることができる。
【００３８】
また、ネクタイ部３は一端の両面に面ファスナー３０が設けられているため、結び目２内側面の面ファスナー２２とすばやく貼着することができる。
【００３９】
よって、ネクタイを結ぶ時間や労力を抑えることができ、単一の柄で変化がないという従来のネクタイの使用効果や実用性を高めることができる。
【００４０】
実際に、着用者がこの考案のネクタイ１を着用する場合、紐２１を着用者の頸部に巻きつけて結び目２をしっかりと固定する。
【００４１】
ネクタイ部３のどちらか一面を使用正面として選択し、一端に設けられた面ファスナー３０を結び目２の内側面に貼着する。
【００４２】
結び目２の表面に選択したネクタイ部３と同様の図案、模様の布片２３を貼着すれば、ネクタイを簡単に着用することができる。
【００４３】
同日、異なるイベントなどに出席する場合には、ネクタイ１を自由にはずしてネクタイ部３のもう一方の面を正面として使用し、異なる布片２３を合わせればよい。
【００４４】
ネクタイ１を着用後、汚れてしまった場合には、ネクタイを取り外し、ネクタイ部３、或いは布片２３などネクタイの汚れた部分だけ洗浄すればよい。
【００４５】
このため、従来のように汚れを取り除いた後、ネクタイ全体を平らに整える時間や労力など煩雑な工程や時間を省くことができる。
【００４６】
図４は、この考案のネクタイの他の実施形態を示したものである。
【００４７】
図面によれば、該ネクタイは、結び目２と、ネクタイ部３とが互いに面ファスナー２２、３０を合わせて接続する方法で形成される。
【００４８】
該面ファスナー２２、３０は、押し圧式のボタンでもよい。
【００４９】
該押し圧式のボタンは両側を押し圧して使用し、雄ボタン３１と、母ボタン２４とを含んでなる。
【００５０】
該雄ボタン３１と母ボタン２４とはそれぞれネクタイ部３と結び目２の上に対向して設けられる。
【００５１】
例えば、雄ボタン３１がネクタイ部３の一端縁部に設けると、母ボタン２４は結び目２の内側面に設けられる。両者の位置は互いに交換して設けても正常に使用することができる。
【００５２】
着用する場合、図５に開示するように、雄ボタン３１と母ボタン２４とを挿入接続するか、或いは押し圧して分離する作用で両者をすばやく接続、或いは外すことができ、着用する場合に便利である。
【００５３】
図６は、その他の実施形態の雄ボタン、母ボタン３１、２４を示したものである。
【００５４】
図面によれば、正面を押し圧する方法でネクタイ部３と結び目２とを嵌合するか、外すことができる。
【００５５】
よって、着用する場合、他の実施形態と同様にすばやく着用、外すことができ、着用者が自由に取り外す、使用面を交換して組み合わせるなどをすることができる。
【００５６】
図７は、別の実施形態で、互いに第一接続部２５と、第二接続部３２とを一体に回転して連結する。
【００５７】
該第一接続部２５は、結び目２の内側面に設けられる。該第二接続部３２はネクタイ部３の一端に埋設される。
【００５８】
第二接続部３２は、第一接続部２５に穿設するための円柱を具えてなり、該円柱の外周面を被覆するように設けられた弾性体３２１で当接するため、第一接続部２５と第二接続部３２とが確実に接続されて外れないように固定される。
【００５９】
着用する場合、着用者はネクタイ部３の第二接続部３２を略下方向へ引いて弾性体３２１を圧縮すると、直接反転してもう一方の面が使用する正面になる。
【００６０】
上述の通り、簡単にネクタイ２の両面を使用することができる。
【００６１】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録請求の範囲に属するものとする。
【符号の説明】
【００６２】
１        ネクタイ
２        結び目
２０      凸部
２１      紐
２１１    孔
２２      面ファスナー
２３      布片
２４      母ボタン
２５      第一接続部
３        ネクタイ部
３０      面ファスナー
３１      雄ボタン
３２      第二接続部
３２１    弾性体
【図１】
0003159274.tif 000003
【図２】
0003159274.tif 000004
【図３】
0003159274.tif 000005
【図４】
0003159274.tif 000006
【図５】
0003159274.tif 000007
【図６】
0003159274.tif 000008
【図７】
0003159274.tif 000009